(57)【要約】【課題】ポリゴンミラーを変形させずにポリゴンミラーの位置ずれを防止することができるポリゴンミラー支持構造を提供する。【解決手段】ポリゴンミラー３の中央に形成された多角形状（四角形状）の嵌合穴２に、ポリゴンミラー３を支持する支持台４に形成された、嵌合穴２と同形状のボス部５を嵌合し、嵌合穴２とボス部５をかしめ結合したポリゴンミラー支持構造。【選択図】      図１
2004226747.tif 000002
【特許請求の範囲】
【請求項１】
ポリゴンミラーの中央に形成された多角形状の嵌合穴に、ポリゴンミラーを支持する支持台に形成された、嵌合穴と同形状のボス部を嵌合し、嵌合穴とボス部をかしめ結合したことを特徴とするポリゴンミラー支持構造。
【請求項２】
多角形状の嵌合穴を有するスペーサを介してポリゴンミラーを２段重ねしたことを特徴とする請求項１記載のポリゴンミラー支持構造。
【請求項３】
ポリゴンミラーの中央に形成された、回転阻止部を有する嵌合穴に、ポリゴンミラーを支持する支持台に形成された、嵌合穴と同形状のボス部を嵌合し、嵌合穴とボス部をかしめ結合したことを特徴とするポリゴンミラー支持構造。
【請求項４】
ポリゴンミラーの嵌合穴と同形状の嵌合穴を有するスペーサを介してポリゴンミラーを２段重ねしたことを特徴とする請求項３記載のポリゴンミラー支持構造。
【発明の詳細な説明】
【０００１】
【発明の属する技術分野】
本発明は、レーザビームプリンタやデジタル複写機等の画像形成装置の光書込装置に使用されるポリゴンミラーを支持するポリゴンミラー支持構造に関する。
【０００２】
【従来の技術】
レーザビームを使用する画像形成装置においては、画像データにより変調されたレーザビームを、高速回転するポリゴンミラーのミラー面に照射し、ポリゴンミラーにより感光体の主走査方向に光書き込みを行なうようになっている。
ポリゴンミラーは、ポリゴンモータのロータ部からなる支持台に載置され、ポリゴンミラー中央の嵌合穴に、支持台中央に突出形成したボス部を嵌合し、両者を結合することで、ポリゴンミラーは支持台に支持、固定される。
【０００３】
【発明が解決しようとする課題】
従来のポリゴンミラー支持構造では、嵌合部（嵌合穴とボス部）が円形状をしており、ポリゴンミラーのオン、オフ時等の外力により、ミラー位置がずれる現象が発生している。このことにより、ポリゴンミラー回転時にバランスが崩れ、モータ振動を増加して、画像に影響を及ぼしたり異常音の発生が起こっていた。
従来はポリゴンミラーを抑えるバネにより、ポリゴンミラーの位置ずれを防止する構造を採用していたが、ミラー押えバネ構造では、加圧力が強過ぎるとポリゴンミラーの変形を起こす不具合があり、逆に加圧力が弱過ぎるとポリゴンミラーずれを起こす不具合があった。
本発明は、ポリゴンミラーを変形させずにポリゴンミラーの位置ずれを防止することができるポリゴンミラー支持構造を提供することを目的とする。
【０００４】
【課題を解決するための手段】
上記目的を達成するために、請求項１記載の発明は、ポリゴンミラーの中央に形成された多角形状（四角形状）の嵌合穴に、ポリゴンミラーを支持する支持台に形成された、嵌合穴と同形状のボス部を嵌合し、嵌合穴とボス部をかしめ結合したポリゴンミラー支持構造を最も主要な特徴とする。
請求項２記載の発明は、多角形状（四角形状）の嵌合穴を有するスペーサを介してポリゴンミラーを２段重ねした請求項１記載のポリゴンミラー支持構造を主要な特徴とする。
請求項３記載の発明は、ポリゴンミラーの中央に形成された、回転阻止部を有する嵌合穴に、ポリゴンミラーを支持する支持台に形成された、嵌合穴と同形状のボス部を嵌合し、嵌合穴とボス部をかしめ結合したポリゴンミラー支持構造を最も主要な特徴とする。
請求項４記載の発明は、ポリゴンミラーの嵌合穴と同形状の嵌合穴を有するスペーサを介してポリゴンミラーを２段重ねした請求項３記載のポリゴンミラー支持構造を主要な特徴とする。
【０００５】
【発明の実施の形態】
以下、本発明の実施の形態を図面に従って説明する。
図１は本発明の第１の実施の形態に係るポリゴンミラー支持構造を示す図であり、（１）は上面図、（２）は正面縦断面図である。
外周にミラー面１、中央に多角形（この例では四角形）の嵌合穴２を有するポリゴンミラー３が、ロータ部を構成する支持台４上に載置されている。支持台４の中央には嵌合穴２と同形状のボス部５が突出形成されている。このボス部５を嵌合穴２に嵌合し、ボス部５と嵌合穴２をかしめ結合することで、ポリゴンミラー３は支持台４に支持、固定される。
図２は本発明の第１の実施の形態に係るポリゴンミラー支持構造の変形例を示す図であり、（１）は上面図、（２）は正面断面図である。この変形例では、多角形、例えば四角形状の嵌合穴を有するスペーサ６を介して２枚のポリゴンミラー３を２段重ねしている。このボス部５を嵌合穴２に嵌合し、ボス部５と嵌合穴２をかしめ結合することで、ポリゴンミラー３を支持台４に支持、固定する点は上記実施形態と同様である。
図３は本発明の第２の実施の形態に係るポリゴンミラー支持構造を示す図であり、（１）は上面図、（２）は正面断面図である。第２の実施の形態は、ポリゴンミラー３の中央に形成された、回転阻止部１１−１を有する嵌合穴１１に、ポリゴンミラー３を支持する支持台４の中央に突出に形成された、嵌合穴１１と同形状のボス部１２（回転阻止部１２−１）を嵌合し、嵌合穴１１とボス部１２をかしめ結合したものである。
図４は本発明の第２の実施の形態に係るポリゴンミラー支持構造の変形例を示す図であり、（１）は上面図、（２）は正面断面図である。この変形例では、ポリゴンミラー３の嵌合穴１１と同形状の嵌合穴を有するスペーサ６を介して複数のポリゴンミラー３を２段重ねしている。また、回転阻止部１１−１を有する嵌合穴１１に、ポリゴンミラー３を支持する支持台４の中央に突出に形成された、嵌合穴１１と同形状のボス部１２（回転阻止部１２−１）を嵌合し、嵌合穴１１とボス部１２をかしめ結合した構成は同様である。
上記の各実施形態によれば、ポリゴンミラーを変形させずにポリゴンミラーの位置ずれを防止することができる。
【０００６】
【発明の効果】
本発明によれば、ポリゴンミラーの中央に形成された多角形状（例えば、四角形状）の嵌合穴に、ポリゴンミラーを支持する支持台に形成された、嵌合穴と同形状のボス部を嵌合し、嵌合穴とボス部をかしめ結合したことにより、あるいは、ポリゴンミラーの中央に形成された、回転阻止部を有する嵌合穴に、ポリゴンミラーを支持する支持台に形成された、嵌合穴と同形状のボス部を嵌合し、嵌合穴とボス部をかしめ結合したことにより、ポリゴンミラーを変形させずにポリゴンミラーの位置ずれを防止することができるようになる。
【図面の簡単な説明】
【図１】本発明の第１の実施の形態に係るポリゴンミラー支持構造を示す図であり、（１）は上面図、（２）は正面断面図である。
【図２】本発明の第１の実施の形態に係るポリゴンミラー支持構造の変形例を示す図であり、（１）は上面図、（２）は正面断面図である。
【図３】本発明の第２の実施の形態に係るポリゴンミラー支持構造を示す図であり、（１）は上面図、（２）は正面断面図である。
【図４】本発明の第２の実施の形態に係るポリゴンミラー支持構造の変形例を示す図であり、（１）は上面図、（２）は正面断面図である。
【符号の説明】
２  嵌合穴
３  ポリゴンミラー
４  支持台
５  ボス部
【図１】
2004226747.tif 000003
【図２】
2004226747.tif 000004
【図３】
2004226747.tif 000005
【図４】
2004226747.tif 000006